(57)【特許請求の範囲】
【請求項１】
表示手段に出力される画面情報が複数の要素データで構成され、当該要素データの実体がネットワーク上のデータ資源より供給された後、それを各々指定された時刻に基づいて表示するデータ表示装置において、
時刻情報と当該時刻に表示すべき要素データを指定する情報とを対応付けて記憶する第１記憶手段と、
前記要素データの実体の表示位置情報・大きさ情報・データ種別情報およびデータ実体の記憶場所を記憶する第２記憶手段と、
前記第１記憶手段に記憶された内容に基づいて、指定の時刻に表示すべき要素データのデータ実体が前記第２記憶手段に記憶されたデータ実体の記憶場所へアクセスして読み出して表示可能か否かを判定する判定手段と、
前記判定手段が表示不可と判定した場合は前記第２記憶手段に記憶された要素データの実体の表示位置情報・大きさ情報に基づくデータ占有領域と、当該データ占有領域内にデータ種別情報を可視的に表示する一方、前記判定手段が表示可能と判定した場合は前記要素データの実体を表示するよう前記表示手段を制御すると共に、前記データ占有領域表示を含む要素データ表示処理に続いて、次の要素データの表示処理内容を読出して画面情報を構成する要素データの表示処理を行なう制御手段とを備えたことを特徴とするデータ表示装置。
【請求項２】
前記制御手段は、前記データ占有領域内に、前記第２記憶手段に記憶されたデータ種別情報に対応するイメージデータを表示するよう前記表示手段を制御することを特徴とする請求項１記載のデータ表示装置。
【請求項３】
データ種別情報として前記要素データのコメント文を記憶する第３記憶手段をさらに備え、
前記制御手段は、前記データ占有領域内に、前記第３記憶手段に記憶されたコメント文を表示するよう前記表示手段を制御することを特徴とする請求項１記載のデータ表示装置。
【請求項４】
表示手段に出力される画面情報が複数の要素データで構成され、時刻情報と当該時刻に表示すべき要素データを指定する情報とを対応付けて第１記憶手段に記憶し、当該要素データの実体の表示位置情報・大きさ情報・データ種別情報およびデータ実体の記憶場所を第２記憶手段に記憶し、当該要素データの実体を各々指定された時刻に基づいて表示手段に表示するデータ表示装置の表示方法であって、
前記第１記憶手段に記憶された内容に基づいて、指定の時刻に表示すべき要素データのデータ実体が前記第２記憶手段に記憶されたデータ実体の記憶場所へアクセスして読み出して表示可能か否かを判定し、表示不可と判定した場合は前記第２記憶手段に記憶された要素データの実体の表示位置情報・大きさ情報に基づくデータ占有領域と、当該データ占有領域内にデータ種別情報を可視的に表示する一方、表示可能と判定した場合は前記要素データの実体を表示すると共に、前記データ占有領域表示を含む要素データ表示処理に続いて、次の要素データの表示処理内容を読出して画面情報を構成する要素データの表示処理を行なうことを特徴とするデータ表示装置の表示方法。
【発明の詳細な説明】
【０００１】
【発明の属する技術分野】
この発明は文書表示装置に関して特にワードプロセッサや汎用コンピュータ、ワークステーションなどの上の文書処理アプリケーションなど、文書処理装置や情報表示装置に用いられる文書表示装置に関する。
【０００２】
【従来の技術】
文書中に複数の種類のデータを統合するような文書処理装置、あるいはそのような文書処理装置において時刻変化に伴って表示内容を変化させるような装置では、処理の都合上表示内容を正しく処理できない場合がある。たとえば以下のような場合である。
【０００３】
（１）  表示すべきデータが格納されているフロッピィディスク等の二次記憶メディアがその時点で存在しない場合
（２）  表示すべきデータがネットワーク上の別の機種にあり、ネットワークの過負荷で処理時間がかかったり、ネットワーク構成の変更や事故でデータが取出せない場合
（３）  表示すべきデータが別に既に削除されている場合
（４）  デコード処理や表示処理自身に処理時間がかかり、望まれる時間内に処理できない場合
（５）  異機種で作成されたデータであり互換性がとれない場合
（６）  高速検索機能などで表示処理の処理時間がとれない場合
従来ではこのような場合、表示できない状況が発見された時点でエラーメッセージを表示し処理を終わるか、エラーメッセージを表示し処理を中断しその後そのデータを表示せずに処理を続けるか、あるいは、エラーメッセージを表示せずにそのデータを表示せずに処理を続ける、という処理を行なっていた。
【０００４】
このような処理の例はたとえば特開平５−３３４２８５号公報に開示されている。同公報によれば、各種データにフラグを設け、フラグによって表示・非表示を制御し、表示処理においてそのフラグを参照してデータを表示したりあるいは表示しなかったりということを行なう。その結果フラグ操作によってデータを表示せずに処理を続ける処理を行なうことができる。
【０００５】
【発明が解決しようとする課題】
上記のような状況に陥り、正しく表示処理ができない、またはその時間的余裕のない場合に従来技術のような方法では次のような問題がある。
【０００６】
エラーメッセージを表示して処理を終了してしまう場合には、エラー原因を取除かなければ処理を続けることができず、エラーの原因が操作者の処理できるものでないかぎり、望みの処理を実行することができない。
【０００７】
また、エラーメッセージを表示して確認を求める場合には、処理を中段するため操作者が直接望みの処理を得られず操作性が悪くなる。
【０００８】
さらに、そのデータの表示を省いて処理を続行すると、そこにそのデータが存在することや、どのようなデータが存在するのかがわからないので操作者にとって文書全体の視認性が悪くなる。
【０００９】
たとえば、上記した特開平５−３３４２８５号公報に開示されるように、フラグの操作によってデータを表示したりしなかったりするように表示処理を制御すると次のような問題が生じる。すなわち、データを表示しないように制御してしまうと、そのように表示された画面中の文書において、表示していないデータの存在が操作者に視認できないという問題が生じる。
【００１０】
この発明は上記のような問題点を解消するためになされたもので、操作者の使いやすい文書表示装置を提供することを目的とする。
【００１１】
【課題を解決するための手段】
上述の目的を達成するために本発明は、表示手段に出力される画面情報が複数の要素データで構成され、当該要素データの実体がネットワーク上のデータ資源より供給された後、それを各々指定された時刻に基づいて表示するデータ表示装置において、時刻情報と当該時刻に表示すべき要素データを指定する情報とを対応付けて記憶する第１記憶手段と、前記要素データの実体の表示位置情報・大きさ情報・データ種別情報およびデータ実体の記憶場所を記憶する第２記憶手段と、前記第１記憶手段に記憶された内容に基づいて、指定の時刻に表示すべき要素データのデータ実体が前記第２記憶手段に記憶されたデータ実体の記憶場所へアクセスして読み出して表示可能か否かを判定する判定手段と、前記判定手段が表示不可と判定した場合は前記第２記憶手段に記憶された要素データの実体の表示位置情報・大きさ情報に基づくデータ占有領域と、当該データ占有領域内にデータ種別情報を可視的に表示する一方、前記判定手段が表示可能と判定した場合は前記要素データの実体を表示するよう前記表示手段を制御すると共に、前記データ占有領域表示を含む要素データ表示処理に続いて、次の要素データの表示処理内容を読出して画面情報を構成する要素データの表示処理を行なう制御手段とを備えたことを特徴とするデータ表示装置である。
【００１２】
また、本発明は、前記制御手段は、前記データ占有領域内に、前記第２記憶手段に記憶されたデータ種別情報に対応するイメージデータを表示するよう前記表示手段を制御することを特徴とするデータ表示装置である。
【００１３】
さらに、データ表示装置は、データ種別情報として前記要素データのコメント文を記憶する第３記憶手段をさらに備え、前記制御手段は、前記データ占有領域内に、前記第３記憶手段に記憶されたコメント文を表示するよう前記表示手段を制御することすることが望ましい。
【００１４】
さらにまた、本発明は、表示手段に出力される画面情報が複数の要素データで構成され、時刻情報と当該時刻に表示すべき要素データを指定する情報とを対応付けて第１記憶手段に記憶し、当該要素データの実体の表示位置情報・大きさ情報・データ種別情報およびデータ実体の記憶場所を第２記憶手段に記憶し、当該要素データの実体を各々指定された時刻に基づいて表示手段に表示するデータ表示装置の表示方法であって、前記第１記憶手段に記憶された内容に基づいて、指定の時刻に表示すべき要素データのデータ実体が前記第２記憶手段に記憶されたデータ実体の記憶場所へアクセスして読み出して表示可能か否かを判定し、表示不可と判定した場合は前記第２記憶手段に記憶された要素データの実体の表示位置情報・大きさ情報に基づくデータ占有領域と、当該データ占有領域内にデータ種別情報を可視的に表示する一方、表示可能と判定した場合は前記要素データの実体を表示すると共に、前記データ占有領域表示を含む要素データ表示処理に続いて、次の要素データの表示処理内容を読出して画面情報を構成する要素データの表示処理を行なうことを特徴とするデータ表示装置の表示方法である。
【００１５】
【発明の実施の形態】
以下この発明の実施例は図面を参照して説明する。
【００１６】
図１はこの発明に係る文書処理装置の主要部を示すブロック図である。図１を参照して、この発明に係る文書処理装置は、操作者が操作するキーボードやマウスのような入力デバイス１１と、入力デバイス１１からの入力イベントを処理されるまで保持しておくメモリである入力キューバッファ１２と、入力キューバッファ１２に接続され、入力に対して入力編集機能を実現するモジュールである入力処理部１３と、入力処理部１３に接続され、入力編集対象の文書データを展開する文書データメモリ１５と、入力処理部１３に対してファイルへの入力、ファイルからの出力を行なうための制御モジュールであるファイル入出力制御部１６と、ファイル入出力制御部１６に接続された二次記憶デバイス１７を含む。二次記憶デバイス１７はファイルを格納した二次記憶メディアを利用するためのデバイスモジュールである。
【００１７】
文書表示装置はさらに、入力処理部１３に接続され、操作の結果として文書の内容を画面上に表示するモジュールである表示処理部１４と、表示処理部１４およびファイル入出力制御部に接続され、独立のタスクとして他のモジュールと並行処理を行なう、動画を処理する動画処理部１８と、表示処理部１４に接続され、文書を構成する各データに対して付与された補助情報を格納する補助情報メモリ１９と、表示処理部１４に接続され、画面に表示するイメージデータをストアする画面イメージメモリ２０と、画面イメージメモリ２０に接続され、その内容を表示するための表示デバイス２１とを含む。
【００１８】
図２はこの発明に係る文書表示装置における表示例を示す図である。図２を参照してこの例では文書表示装置を時刻変化するごとに次々と新車についての情報を表示する新車情報表示装置に適用した例を示している。この場合表示デバイス２１には、タイトル部３１、名称部３２、仕様部３３および動画部３４の各部が表示される。これらのうち時間が変化すれば名称部３２、仕様部３３および動画部３４の各部が次の情報に変化していく。これらのうちタイトル部３１、名称部３２、仕様部３３がテキストデータであり、動画部３４は動画データであるとする。
【００１９】
図３はこの発明に係る文書表示装置で処理される文書情報の構造を示す図である。図３を参照して、文書情報は時刻変化に伴った処理を記述した処理リスト４１と、文書を構成するデータを示した構成要素リスト４２と、それら構成要素のデータ実体を格納する実体データ部４３の各部からなる。
【００２０】
図４に図３で示した構成要素リスト４２の内容を示す。図４を参照して構成要素リストは各要素に付与される識別番号、画面上の位置・大きさ、データの種別、データの状態等を管理している。すなわち、要素“ＩＤ”は識別番号を示し、要素“Ｘ，Ｙ，Ｗ，Ｈ”は画面上の位置・大きさを示し、要素“ｔｙｐ”はデータの種別がテキストデータ（ｔｘｔ）であるかまたは動画（ｍｏｖ）であるかを示し、要素“ｆｌｇ”はデータの状態を示しており、データが文書データメモリ１５上に存在しているときは“Ｍ”が格納され、文書データメモリ１５上に存在していないときは“Ｆ”が格納される。また、ＤＡＴＡ  ＰＯＩＮＴＥＲ部には文書データメモリ１５中の実体データ部内でデータ実体が格納されているアドレスまたは文書データメモリ１５上に存在していないときはデータ実体が格納されているファイル名が格納される。なお、ここには図２に表示されているタイトル部３１以外のデータに関する情報が記憶されている。
【００２１】
次に具体的に説明する。要素ＩＤが“ｋ”の要素が名称部３２に表示されている要素であり、その位置・大きさが“Ｘ，Ｙ，Ｗ，Ｈ”によって管理されている。データ種別は“ｔｘｔ”となっているのでテキストデータである。データの状態は“Ｍ”となっているため、文書データメモリ１５上に存在していることがわかる。ＤＡＴＡ  ＰＯＩＮＴＥＲ部には文書データメモリ１５中の実体データ部内でデータ実体が格納されているアドレス（ａｄｒ１）が格納されている。
【００２２】
次の要素ＩＤが“ｋ＋１”の要素は仕様部３３に表示されている要素であり、その位置・大きさが管理されている。データ種別はテキストデータであり、データは文書データメモリ１５上に存在し、その実体データ部内でのデータ実体が格納されているアドレスはａｄｒ２であることがわかる。
【００２３】
要素ＩＤが“ｋ＋２”の要素は動画部３４に表示されている要素であり、その位置・大きさが管理されている。データの種別は動画データであり、データの状態は文書データメモリ１５上に存在していないことがわかる。また、データ実体が格納されているファイル名が“ＸＸＸＸＸＰＲＭ．ＭＰＧ”であることがわかる。
【００２４】
図５は時刻とそのときに処理される内容との関係を示す処理リストの例を示す図である。この例は図２の状態が時刻Ｔｎに起ころうとした場合の例である。すなわち、時刻Ｔｎに達すると、画面全体を消去した後、要素ａ（図４には示さなかったが、同様に管理されるタイトル部３１のことである）を表示し、続いて順にｋ，ｋ＋１およびｋ＋２を表示する。この処理を経て図２の状態に到達する。
【００２５】
次に時刻Ｔｎになって図２の状態になる処理を例にとってこの発明の動作について説明する。図６は、入力処理部１３の動作を示すフローチャートである。入力処理部１３は性格上種々のコマンドに対応する処理があるが、このフローでは本発明の実施例の解説に必要な部分だけを記述している。
【００２６】
図６を参照して、入力処理部１３は処理の始めにモジュール内部のカウンタである時刻カウンタ（ｔｍｃｎｔ）に０をセットして初期化し、そのときの現在時刻（ｃｕｒｔｉｍｅ）をモジュール内部の変数である開始時刻（ｓｔｔｉｍｅ）にセットする（ステップナンバー１１、図中＃１１と略す、以下ステップを省略する）。なお、現在時刻はシステムコールによってＯＳに問合わせることによって取得できるものとする。画面を初期表示にするために時刻カウンタの値（今は０）を与えて表示処理を行なう（ナンバー１２）。表示が終了すると単位時間分だけ時刻カウンタを更新する（ナンバー１３）。そして、入力キューバッファ１１に入力があるかどうかを確認し（ナンバー１４）、入力がある場合にはその入力を取出して解釈し各コマンド処理機能に分岐する（ナンバー１４でＮ，ナンバー１５，ナンバー１６）。
【００２７】
入力がない場合は、現在時刻と先に対比しておいた開始時刻を比較して（ナンバー１９）、その差が時刻カウンタ以上の場合、処理すべき時刻に到達したとして表示処理を行なう。すなわち、現在の時刻カウンタの内容を表示処理に引き渡して表示処理を行ない（ナンバー２０）、処理後、時刻カウンタを次の時刻に更新する（ナンバー２１）。処理すべき時刻に達していない場合は再び入力の確認をおこない、以後ここまでの処理をループする（ナンバー１９でＮ，ナンバー１４）。
【００２８】
次に表示処理部１４の動作について図７を参照して説明する。表示処理部１４は入力情報として時刻Ｔｎを指定されるものとする。
【００２９】
図７を参照して、まず指定された時刻に関する処理が処理リストに存在するかどうかを検索し（ナンバー３１）、存在する場合に処理カウンタ（ｃｎｔ）および処理レコードポインタ（ｒｐ）の初期設定を行なう（ナンバー３２でＹ，ナンバー３３，３４）。
【００３０】
次に処理リストの中に処理内容があれば（ナンバー３５でＹ）、処理レコードポインタで示された処理リスト中のレコードから処理内容を読出し（ナンバー３６）、その内容を解析して処理ごとに分岐する（ナンバー３７〜ナンバー３９）。
【００３１】
各処理を終了後、処理カウンタｃｎｔをデクリメントし（ナンバー４０）、処理レコードポインタｒｐを次のレコードに更新する（ナンバー４１）。今の場合、時刻Ｔｎに対応して図５のような処理が記述されてるのでまず消去処理を行ない（ナンバー３８）、その後各要素の表示処理を行なう（ナンバー３９）。
【００３２】
図８は要素表示処理の内容を示すフローチャートである。要素表示処理は入力に表示すべき要素ＩＤをとるものとする。まず指定された要素ＩＤに関するレコードを構成要素リストから検索する（ナンバー５１）。レコードが存在する場合、そのレコードのデータ状態フラグ（ｆｌｇフィールド）の内容によって分岐する（ナンバー５２でＹ，ナンバー５３）。フラグの内容が“Ｍ”の場合、データはメモリ上に存在するので構成要素リストのＤＡＴＡ  ＰＯＩＮＴＥＲフィールドに格納されているデータ実体のアドレスをポインタｐにセットする（ナンバー５７）。フラグの内容が“Ｆ”の場合は、データはファイル上に存在するので、構成要素リストのＤＡＴＡ  ＰＯＩＮＴＥＲ部に格納されているファイル名をもとにファイルにアクセスし、メモリ上に展開し（ナンバー５４）、展開したアドレスをポインタｐにセットする（ナンバー５５でＮ，ナンバー５６）。
【００３３】
データのポインタのセットが終わると、該当レコードから位置・大きさの情報を取得し（ナンバー５９）、同一レコードのデータ種別情報（“ｔｙｐ”）の内容によってデータ種別ごとに実際の表示処理に分岐する。すなわち、文字表示の場合は文字表示処理（ナンバー６３）に、動画の表示の場合は動画表示処理（ナンバー６４）というように分岐する。ここまで述べてきたような処理によって時刻Ｔｎについて図２に示したような画面状態になる。
【００３４】
今、自動車の映像部分（要素ＩＤ＝ｋ＋２）を表示するときに、ネットワークの断絶や回線の過負荷によるタイムアウトあるいはファイルデータの消失などで、データを含んだファイル（図４の構成要素リストよりファイル名は“ＸＸＸＸＸＰＲＭ．ＰＭＧ”）のアクセスに失敗したとする。この場合は図８のフローチャートにおいてファイルアクセス処理後の処理状態チェックにおいて失敗を検出し（ナンバー５５でＹ）、データのポインタに“ＮＵＬＬ”をセットする（ナンバー５８）。さらに要素の位置・大きさ情報を取得した後に、データのポインタｐが“ＮＵＬＬ”である場合には、領域表示を行ない（ナンバー６２）、以後通常どおりの処理を終了する。
【００３５】
図９は図８のナンバー６２で示した領域表示処理の内容を示すフローチャートである。領域表示処理は入力データとして図４に示した要素ＩＤをとるものとする。
【００３６】
まず、指定された要素ＩＤに関する構成要素リスト中のレコードを検索し（ナンバー７１）、存在する場合、そのレコードから該当要素の位置・大きさを取得する（ナンバー７２でＹ，ナンバー７３）。その情報に従ってそのデータの領域を示す矩形を描画する（ナンバー７４）。次に指定された要素ＩＤに関する補助情報メモリ１９の中のレコードを検索し（ナンバー７５）、存在する場合そのレコードから該当要素に付与されている補助情報のアドレスとデータ長を取得する（ナンバー７６でＹ，ナンバー７７）。補助情報を表示する位置を決定して（ナンバー７８）、補助情報のデータ種別によってそれぞれの表示処理に分岐する（ナンバー７９〜ナンバー８１）。
【００３７】
図１０は補助情報メモリ１９の中の補助情報の例を示す図である。図１０を参照して、補助情報メモリ１９は要素ＩＤ、補助情報のデータ種別（ｔｙｐ）、データ長（ｌｅｎ）、データ格納先のアドレス（ａｄｒ）を管理しているテーブル部と、実際のデータ内容を格納しているデータ部（ｄａｔ）とから構成される。
【００３８】
今の場合には、要素“ｋ＋２”に対して、データ種別がテキストデータ（“ｔｘｔ”）が補助情報として設定されており、その長さが２２バイトで格納先アドレスがｐ番地である。このような補助情報を参照した後、補助情報がテキストデータであるので文字表示処理を行なう（ナンバー８０）。その結果、画面は図１１に示すように動画を表示する部分が領域を示す矩形と補助情報であるコメント文に置換えられて表示される。
【００３９】
以上述べてきたことから明らかなように、補助情報としては補助情報メモリ１９に管理されるデータであればよく、たとえばイメージデータが管理されている場合（すなわち補助情報メモリ１９の該当レコードのデータ種別フィールドに“ｉｍｇ”と記録されている場合）には、図９中のイメージ表示処理を行なうようにすればよい（ナンバー８１）。また、これも明らかではあるが、補助情報メモリ１９に管理される補助情報を別途に操作者に設定させることなく、予めシステムが各要素の構成要素リスト中に管理されるファイル名を格納しておくことで補助情報としてファイル名を表示することができる。
【００４０】
また、予め構成要素リスト中に管理されるデータ種別ごとのイメージデータを設定しておくことで操作者がとくに入力しなくても規定のイメージデータを表示することができる。
【００４１】
（２）  第２実施例
第１実施例においては、図９に示したように処理エラー時に本願発明を適用したが、第２実施例においては、操作者によって簡易表示モードとして本願発明を設定している。
【００４２】
図１２および図１３は第２実施例の動作を説明するためのフローチャートである。図１２および図１３を参照して、ナンバー９１からナンバー９９までの処理は図８に示した第１の実施例と同じであるのでそこまでの処理についてはその説明を省略する。第２実施例においては、ナンバー１００で実際の表示処理を行なう前に簡易表示モードかどうかをチェックする。簡易表示モードであれば（ナンバー１００でＹ）、無条件に領域表示処理を行なう（ナンバー１０３）。簡易表示モータでないときは（ナンバー１００でＮ）、第１の実施例と同様の処理を行ない、レコードのデータ種別情報によってその処理が分岐される（ナンバー１０４，１０５）。
【００４３】
（３）  第３実施例
次に本願発明の第３実施例について説明する。第３実施例においては、処理不可能な（互換性のない）データタイプのデータの表示が予期された場合に本願発明を適用する場合の実施例である。ここでは、図８のナンバー６４で現れる動画表示処理に本願発明を適用した例について説明する。
【００４４】
動画表示処理では動画処理部１８にデータを与えて動画表示を行なうのが主な処理である。しかしながら、処理出来ないデータタイプのデータである場合に動画を表示する代わりに本願発明であるところの領域表示処理を行なう。
【００４５】
図１４は動画表示処理の内容を示すフローチャートである。図１４を参照して、動画表示処理は入力として表示位置と表示すべきデータの存在するアドレスを指定するものとする。まず、指定アドレスのデータ先頭にあるデータヘッダ部分を解析し（ナンバー１１１）、その動画データが処理できるデータタイプかどうかをチェックする（ナンバー１１２）。処理可能なタイプであればその動画の処理を動画処理部１８に依頼するが、処理できないときは処理をしないのではなく、本発明による領域表示処理を行なう（ナンバー１１４）。このような処理にすると、互換性のないデータタイプのデータを処理できないときでも、そのデータが存在する領域を示すとともにその内容を補助情報によって示すことができる。
【００４６】
なお、第３実施例においても文書表示装置の基本的な構成は第１実施例と同じであるのでその説明は省略する。
【００４７】
（４）  第４実施例
次にこの発明の第４実施例について説明する。第４実施例においては、時刻変化に伴って表示内容を変化させるような処理において、処理の都合上遅延を発生してしまった場合に本願発明を適用して時刻遅延を回復する実施例である。
【００４８】
図１５および図１６は上記適用を施した入力処理部１３の動作を示すフローチャートである。基本的に第１実施例の図６に示したものと同様であるが（ナンバー１２１〜ナンバー１２９）、実際に表示処理を行なう前に、現在時刻から開始時刻を引いたものと、時刻カウンタの差を求め、それが予め決めておいてしきい値より大きいかどうかをチェックする、ナンバー１３０が異なる。しきい値未満であればそのまま表示処理を行なう（ナンバー１３０でＮ，ナンバー１３５）、しきい値以上であるときは時刻遅延が発生したとして表示モードを簡易モードに設定し（ナンバー１３０でＹ，ナンバー１３１）、表示処理を行なう（ナンバー１３２）。この際、表示処理は第２実施例の図１２および図１３の処理になっており、その中で簡易モードであることを検出して本発明の領域表示処理を行なう。表示処理後表示モードをもとへ戻して通常の処理に戻る（ナンバー１３３）。
【００４９】
第４実施例においては、領域表示処理において処理時間が通常の表示処理より短くできるため、これによって時刻遅延が発生したときに処理全体の時刻回復を実現できる。
【００５０】
なお、第４実施例においても文書処理装置の基本的構成は第１実施例と同様であるのでその説明は省略する。
【００５１】
【発明の効果】
以上説明したように本発明に係るデータ表示装置は、表示手段に出力される画面情報が複数の要素データで構成され、当該要素データの実体がネットワーク上のデータ資源より供給された後、それを各々指定された時刻に基づいて表示するデータ表示装置において、時間情報と当該時刻に表示すべき要素データを指定する情報とを対応付けて記憶する第１記憶手段と、前記要素データの実体の表示位置情報・大きさ情報・データ種別情報およびデータ実体の記憶場所を記憶する第２記憶手段と、前記第１記憶手段に記憶された内容に基づいて、指定の時刻に表示すべき要素データのデータ実体が前記第２記憶手段に記憶されたデータ実体の記憶場所へアクセスして読み出して表示可能か否かを判定する判定手段と、前記判定手段が表示不可と判定した場合は前記第２記憶手段に記憶された要素データの表示位置情報・大きさ情報に基づくデータ占有領域と、当該データ占有領域内にデータ種別情報を可視的に表示する一方、前記判定手段が表示可能と判定した場合は前記要素データの実体を表示するよう前記表示手段を制御すると共に、前記データ占有領域表示を含む要素データ表示処理に続いて、次の要素データの表示処理内容を読出して画面情報を構成する要素データの表示処理を行なう制御手段とを備えたことを特徴とするデータ表示装置であるので、所望の表示データが処理不能の場合でも不都合なく表示処理の続行が行なわれる。また、操作者はアクセスできなかったデータの具体的な内容がわからなくても、そのデータの概要を知ることができる。
【図面の簡単な説明】
【図１】この発明に係る文書表示装置の要部を示すブロック図である。
【図２】この発明に係る文書表示装置の通常に表示された画面の一例を示す図である。
【図３】文書情報の構造を示す図である。
【図４】構成要素リストの例を示す図である。
【図５】処理リストの例を示す図である。
【図６】入力処理部の処理内容を示すフローチャートである。
【図７】表示処理部の処理内容を示すフローチャートである。
【図８】要素表示処理の内容を示すフローチャートである。
【図９】領域表示処理の内容を示すフローチャートである。
【図１０】補助情報メモリ中の補助情報の例を示す図である。
【図１１】この発明が適用された場合の文書表示装置の表示例を示す図である。
【図１２】第２実施例における要素表示処理の内容を示すフローチャートである。
【図１３】第２実施例における要素表示処理の内容を示すフローチャートである。
【図１４】動画表示処理の内容を示すフローチャートである。
【図１５】第４実施例における入力処理部の内容を示すフローチャートである。
【図１６】第４実施例における入力処理部の内容を示すフローチャートである。
【符号の説明】
１１  入力キューバッファ
１２  入力デバイス
１３  入力処理部
１４  表示処理部
１５  文書データメモリ
１６  ファイル入出力制御部
１７  二次記憶デバイス
１８  動画処理部
１９  補助情報メモリ
２０  画面イメージメモリ
２１  表示デバイス
【図１】
0003689330.tif 000002
【図２】
0003689330.tif 000003
【図３】
0003689330.tif 000004
【図４】
0003689330.tif 000005
【図５】
0003689330.tif 000006
【図６】
0003689330.tif 000007
【図７】
0003689330.tif 000008
【図８】
0003689330.tif 000009
【図９】
0003689330.tif 000010
【図１０】
0003689330.tif 000011
【図１１】
0003689330.tif 000012
【図１２】
0003689330.tif 000013
【図１３】
0003689330.tif 000014
【図１４】
0003689330.tif 000015
【図１５】
0003689330.tif 000016
【図１６】
0003689330.tif 000017